(57)【特許請求の範囲】
【請求項１】
建築物の基礎部材上に所定の空間を開けて設置された、外壁を固定する鉄骨材と、床材との隙間及び該隙間下部の前記空間を同時にシールして床下から室内への外気の浸入を防止する長尺状のシール部材と、および、
該シール部材に所定ピッチで一端が固定され、他端は上下方向に弾性的に開閉自在で閉状態で前記基礎部材と鉄骨材との空間に差し込まれると開状態となり鉄骨材を押圧してシール部材を保持する複数のクリップ部材とを備え、前記シール部材の固定を床面に対して傾斜させた状態で行うことを特徴とする床下シール材。
【請求項２】
建築物の基礎部材上に所定の空間を開けて設置された、外壁を固定する鉄骨材と、床材との隙間及び該隙間下部の前記空間を同時にシールして床下から室内への外気の浸入を防止する長尺状のシール部材と、および、
該シール部材に所定ピッチで一端が固定され、他端は上下方向に弾性的に開閉自在で閉状態で前記基礎部材と鉄骨材との空間に差し込まれると開状態となり鉄骨材を押圧してシール部材を保持する複数のクリップ部材とを備え、前記シール部材の固定を床面に対して傾斜させた状態で行うとともに、
前記クリップ部材の一端には凸部が形成され、前記シール部材を固定する場合には該凸部にシール部材を押し付け、その裏面から凸部に嵌合する凹部が形成された固定具を押圧して行うことを特徴とする床下シール材。
【発明の詳細な説明】
【０００１】
【発明の属する技術分野】
本発明は、建築物の基礎部材上の外壁固定用の鉄骨材と床材との間に生じる隙間をシールして床下から室内に隙間風などの外気が浸入することを防止する床下シール材に関する。
【０００２】
【従来の技術】
図８に示すように、建築物のコンクリートなどからなる基礎部材１の上に、外壁２を固定する鉄骨材３は通常、約１ｍのピッチで取り付けられたスペーサ４によって固定されている。これにより、基礎部材１と鉄骨材３との間には空間５ができている。また、基礎部材１と床材６との間にも空間７があり、更に床材６の端部と鉄骨材３との間にも隙間８がある。
【０００３】
そこで、図８に示すような断面形状で長尺状のシール部材９を床材６の端部と鉄骨材３との隙間８に配置し、しかもシール部材９の下部を延ばして同時に基礎部材１と床材６との空間７をもシールするようにして床下から室内１０に隙間風などの外気が浸入することを防止するものが知られている。
【０００４】
【発明が解決しようとする課題】
しかしながら、従来のシール部材９を鉄骨材３に取り付けるには、シール部材９に予め貼着された両面テープ（図示しない）を剥がしてから行う必要があったため、作業工数が増え作業が煩雑であった。その上、離型紙が発生するため、後片付けに手間がかかるという問題があった。
更に、鉄骨材３に対するシール部材９の位置決めが難しく、一度失敗すると粘着力が弱くなるため微調整などに要する時間が長くなり作業効率が悪くなるという問題があった。
【０００５】
そこで本発明の目的は、取付作業時間の短縮化を図って作業効率を向上させることができ、しかも余分なゴミを出さない床下シール材を提供することにある。
【０００６】
また他の目的は、更にシール性を向上させた床下シール材を提供することにある。
【０００７】
【課題を解決するための手段】
上記の目的を達成するために、本発明の床下シール材は、建築物の基礎部材（１）上に所定の空間（５，７）を開けて設置された、外壁（２）を固定する鉄骨材（３）と、床材（６）との隙間（８）及び隙間下部の空間を同時にシールして床下から室内（１０）への外気の浸入を防止する長尺状のシール部材（２１）と、および、シール部材（２１）に所定ピッチで一端が固定され、他端は上下方向に弾性的に開閉自在で閉状態で基礎部材（１）と鉄骨材（３）との空間（５）に差し込まれると開状態となり鉄骨材（３）を押圧してシール部材（２１）を保持する複数のクリップ部材（２２）とを備え、シール部材（２１）の固定を床面に対して傾斜させた状態で行うことを特徴とするものである（請求項１）。
【０００８】
また、本発明の床下シール材は、建築物の基礎部材（１）上に所定の空間（５，７）を開けて設置された、外壁（２）を固定する鉄骨材（３）と、床材（６）との隙間（８）及び隙間下部の空間を同時にシールして床下から室内（１０）への外気の浸入を防止する長尺状のシール部材（２１）と、および、シール部材（２１）に所定ピッチで一端が固定され、他端は上下方向に弾性的に開閉自在で閉状態で基礎部材（１）と鉄骨材（３）との空間（５）に差し込まれると開状態となり鉄骨材（３）を押圧してシール部材（２１）を保持する複数のクリップ部材（２２）とを備え、シール部材（２１）の固定を床面に対して傾斜させた状態で行うとともに、クリップ部材（２２）の一端には凸部（２２Ｃ）が形成され、シール部材（２１）を固定する場合には凸部（２２Ｃ）にシール部材（２１）を押し付け、その裏面から凸部（２２Ｃ）に嵌合する凹部（２３Ａ）が形成された固定具（２３）を押圧して行うことを特徴とするものである（請求項２）。
【００１０】
なお、カッコ内の記号は図面に示し後述する発明の実施の形態の対応要素又は対応事項を示す。
【００１１】
本発明によれば、建築物の基礎部材と鉄骨材との間に、長尺状のシール部材に所定ピッチで固定されたクリップ部材を閉状態にして差し込むと、弾性反力によりクリップ部材は開状態となり鉄骨材を下から押圧してシール部材を保持する。このように床下シール材の取り付け前に予め固定により一体化されたシール部材とクリップ部材をワンタッチで建築物の基礎部材と鉄骨材との間に差し込むだけでよいので、従来のようにシール部材を個別に位置決めする必要はない。また、両面テープなども不要である。
【００１２】
また、シール部材とクリップ部材との固定は、クリップ部材に形成された凸部にシール部材を押し付け、その裏面から固定具を押圧して凹部を凸部に嵌合させるだけでよいので、特にシール部材に穴開けをする必要はなく、固定が簡易である。
【００１３】
更に、シール部材は傾斜した状態でクリップ部材に固定されるので、傾斜させない状態と比較して鉄骨材と床材との間隔に多少のバラツキがあってもシール機能を発揮することができる。
【００１４】
【発明の実施の形態】
図面を参照して、本発明の実施形態に係る床下シール材２０について説明する。図１は床下シール材２０を示す正面図，図２の（ａ）は図１のＡ−Ａ線断面図，図２の（ｂ）は図１のＢ−Ｂ線断面図をそれぞれ示すものである。
【００１５】
本発明の実施形態に係る床下シール材２０は、長尺状のシール部材２１と、そのシール部材２１に所定のピッチ（本実施形態においては約５００ｍｍのピッチ）で固定された複数のクリップ部材２２とから構成される。
図３及び図４に示すように、クリップ部材２２は、その一端にシール部材２１を支持する支持板２２Ａ，他端に２個の脚部２２Ｂとが一体的に形成されている。支持板２２Ａには２個の凸部２２Ｃが形成されており、シール部材２１をこの凸部２２Ｃに押し付け、更にその裏面から凸部２２Ｃに嵌合する凹部２３Ａが形成された固定具２３を押圧することによりシール部材２１はクリップ部材２２に簡易に固定されるようになっている。これによれば、シール部材２１に特に穴開けをする必要がなく、しかも接着剤も不要である。
【００１６】
支持板２２Ａは、床下シール材２０の取り付けの際にシール部材２１を床面に対して傾斜させて固定し、シール性のバラツキによる影響を軽減するため、水平位置に対して所定角度α（本実施形態では約８０度）傾斜させてある。
脚部２２Ｂと押圧片２２Ｅは、断面略くさび形で、支点２２Ｄを中心に上下方向（図３に示す矢印Ｃ方向）に弾性的に開閉（伸縮）自在の押圧片２２Ｅが形成されている。その弾性力は作業者の手によって簡単に押圧片２２Ｅを閉じることのできる程度である。
なお、シール部材２１の材質は、例えばＥＰＤＭスポンジなどのゴム製又は樹脂製の弾性発泡体であり、またクリップ部材２２の材質は樹脂製である。また、クリップ部材２２は閉状態においてその高さは、後述の基礎部材１と鉄骨材３との空間５よりも低く、開状態では空間５よりも高くなるようにされている。
【００１７】
図５は、床下シール材２０が取り付けられた状態を示す断面図である。すなわち、床下シール材２０は、建築物のコンクリートなどからなる基礎部材１上に所定の空間５，７を開けて設置された、外壁２を固定するＣチャンネルの鉄骨材３と、床材６との隙間８及び隙間８下部の基礎部材１との空間７を同時にシールする位置にシール部材２１がクリップ部材２２によって取り付けられ、床下から室内１０に隙間風などの外気が浸入することが防止される。
取り付けはワンタッチ方式である。すなわち、作業者がクリップ部材２２の押圧片２２Ｅを略水平なるまで閉じた状態で基礎部材１と鉄骨材３との空間５に差し込むだけでよい。差し込まれると押圧片２２Ｅは弾性反力により開状態となり鉄骨材３を下から押圧してシール部材２１を確実に保持するようになっている。シール部材２１とクリップ部材２２とは上述したように固定具２３を介して予め組み付けられているので、鉄骨材３に対するシール部材２１の位置決めは不要である。
【００１８】
なお、本実施形態では２個の脚部２２Ｂを有するクリップ部材２２を使用したが、これにかえて図６に示すように１個の脚部３２Ｂからなるクリップ部材３２を使用してもよく、また図７に示すように２個の脚部４２Ｂに形成される押圧片４２Ｅをそれぞれ２個有するクリップ部材４２を使用してもよい。
【００１９】
【発明の効果】
以上のとおり、本発明の床下シール材によれば、床下シール材の取り付け前に予め固定により一体化されたシール部材とクリップ部材をワンタッチで建築物の基礎部材と鉄骨材との間に差し込むだけでよいので、従来のようにシール部材を個別に位置決めする必要はない。したがって、取付作業時間を短縮させることができる。また、両面テープなども不要であるため与分なゴミが発生することもない。
【００２０】
また、シール部材とクリップ部材との固定は、クリップ部材に形成された凸部にシール部材を押し付け、その裏面から固定具を押圧して凹部を凸部に嵌合させるだけでよいので、特にシール部材に穴開けをする必要はなく、固定が簡易である。更に、シール部材は傾斜した状態でクリップ部材に固定されるので、傾斜させない状態と比較して鉄骨材と床材との間隔に多少のバラツキがあってもシール機能を確実に発揮することができる。
【図面の簡単な説明】
【図１】本実施形態に係る、床下シール材２０の一部を示す斜視図である。
【図２】（ａ）は図１に示すＡ−Ａ線断面図であり、（ｂ）は図１に示すＢ−Ｂ線断面図である。
【図３】（ａ）はクリップ部材２２の拡大平面図を示し、（ｂ）はクリップ部材２２の拡大側面図を示す。
【図４】（ａ）は固定具２３の拡大正面図を示し、（ｂ）は固定具２３の拡大側面図を示す。
【図５】図１の床下シール材２０が取り付けられた状態を示す断面図である。
【図６】他のクリップ部材３２を示し、（ａ）はその拡大平面図を示し、（ｂ）はその拡大側面図を示す。
【図７】他のクリップ部材４２を示し、（ａ）はその拡大平面図を示し、（ｂ）はその拡大側面図を示す。
【図８】従来例に係る、シール部材９が取り付けられた状態を示す断面図である。
【符号の説明】
１        基礎部材
２        外壁
３        鉄骨材
４        スペーサ
５        空間
６        床材
７        空間
８        隙間
９        シール部材
１０        室内
２０        床下シール材
２１        シール部材
２２        クリップ部材
２２Ａ      支持板
２２Ｂ      脚部
２２Ｃ      凸部
２２Ｄ      支点
２２Ｅ      押圧片
２３        固定具
２３Ａ      凹部
２３Ｂ      穴
３２        クリップ部材
３２Ａ      支持板
３２Ｂ      脚部
３２Ｃ      凸部
３２Ｄ      支点
３２Ｅ      押圧片
４２        クリップ部材
４２Ａ      支持板
４２Ｂ      脚部
４２Ｃ      凸部
４２Ｄ      支点
４２Ｅ      押圧片
【図１】
0003644613.tif 000002
【図２】
0003644613.tif 000003
【図３】
0003644613.tif 000004
【図４】
0003644613.tif 000005
【図５】
0003644613.tif 000006
【図６】
0003644613.tif 000007
【図７】
0003644613.tif 000008
【図８】
0003644613.tif 000009